(57)【要約】【課題】高精度なセンサーを使用せずに操作ボタンの復帰不良を正確に把握し、精度の良いエレベーター操作ボタンの復帰不良診断を可能とするエレベーター操作ボタンの復帰不良診断装置の提供。【解決手段】エレベーター操作ボタンの復帰不良診断において、  操作ボタンが押されてから離れるまでの時間を計測するオン時間計測部と、  前記オン時間計測部で計測したオン時間を時間別に集計する時間別件数カウント部と、  時間別件数カウントを一定の期間で集計する期間別集計部と、  前記期間別集計部の前回と今回の時間別件数カウントを比較することにより、  エレベーター操作ボタンの押した後の復帰遅延の変化を検知することを特徴とする。【選択図】図１
2016193790.tif 000002
【特許請求の範囲】
【請求項１】
エレベーター操作ボタンの復帰不良診断装置において、
操作ボタンが押されてから離れるまでの時間を計測するオン時間計測部と、
前記オン時間計測部で計測したオン時間を時間別に集計する時間別件数カウント部と、
時間別件数カウントを一定の期間で集計する期間別集計部と、
前記期間別集計部の前回と今回の時間別件数カウントを比較する遅延判定部を備え、
エレベーター操作ボタンの押した後の復帰遅延の変化を検知する事により、操作ボタンの復帰不良診断することを特徴とするエレベーター操作ボタンの復帰不良診断装置。
【発明の詳細な説明】
【技術分野】
【０００１】
本発明は、操作ボタンの過去の動作状況を計測し、その計測結果の変化により操作ボタンの復帰不良の発生を事前に検知する、エレベーター操作ボタンの復帰不良診断装置に関する。
【背景技術】
【０００２】
この種の技術として、例えば特許文献１に記載された発明が公知である。特許文献１には、押しボタンの押下面にタッチセンサーを配置し、電気的接点とは独立した検出回路を設けることで、タッチセンサーが検知していない状態で電気的接点の閉路状態が所定時間以上継続した場合、押しボタンの固渋であると判別することを特徴とする機械的な操作により信号を出力する操作ボタンの、接点を流れる電流及び接点に掛かる電圧に基づいて接触抵抗値を演算し、記録することにより、操作ボタンの劣化を予測する技術が記載されている。
【先行技術文献】
【特許文献】
【０００３】
【特許文献１】特開2009-1383号公報
【発明の概要】
【発明が解決しようとする課題】
【０００４】
しかし、特許文献１においては、押しボタンの押下面にタッチセンサーを配置し、電気的接点とは独立した検出回路を設けているが、タッチセンサーを追加しなければならずコストアップを招く事になる、またタッチセンサーは構造が複雑であり、センサーが新たな故障要因となる。
【０００５】
そこで、本発明が解決しようとする課題は、高精度なセンサーを使用せずに操作ボタンの劣化を正確に把握し、精度の良いエレベーター操作ボタンの接触不良診断を可能とするエレベーター操作ボタンの復帰不良診断装置を提供することにある。
【課題を解決するための手段】
【０００６】
前記課題に鑑みて、本発明は、エレベーター操作ボタンの復帰不良診断装置において、操作ボタンが押されてから離れるまでの時間を計測するオン時間計測部と、前記オン時間計測部で計測したオン時間を時間別に集計する時間別件数カウント部と、時間別件数カウントを一定の期間で集計する期間別集計部と、前記期間別集計部の前回と今回の時間別件数カウントを比較する遅延判定部を備え、エレベーター操作ボタンの押した後の復帰遅延の変化を検知する事により、操作ボタンの復帰不良診断することを特徴とする。
【発明の効果】
【０００７】
本発明によれば、操作ボタンの劣化により発生する復帰時間の変化を、正確に計測しており、操作ボタンの劣化を事前に予測する事により、故障が発生する前に操作ボタンの交換が可能となり、操作ボタンの故障によるエレベーターの運転不具合を未然に防ぐことができる。また、高度なセンサーを使用しないので低コストで長期間の使用に耐えることができる。
【図面の簡単な説明】
【０００８】
【図１】本発明の一実施形態に係るエレベーター操作ボタンの復帰不良診断のシステム構成を示す図である。
【図２】エレベーター操作ボタンの動作を示す図である。
【図３】エレベーター操作ボタンのオン時間の分布を示す図である。
【図４】エレベーター操作ボタンの部位別のオン時間の計測結果を示す図である。
【図５】エレベーター操作ボタンの復帰の遅延時間を計算する為の図である。
【発明を実施するための形態】
【０００９】
以下、図面を参照し、本発明の実施形態について説明する。
【００１０】
図１は本実施形態に係るエレベーター操作ボタンの復帰不良診断装置のシステム構成を示す図である。
【００１１】
図１において、操作ボタン１ａ１ｂ１ｃは各階の呼び釦である。操作ボタン１ａを押すと、オン時間計測部１０ａ１０ｂ１０ｃでは、操作ボタン信号Ｓ１が発生し、インバーター４により反転した操作ボタン信号Ｓ２が得られる。操作ボタン信号Ｓ２によりオン時間カウンタ６はリセットが解除され、発信機５のカウント信号Ｓ３によりカウントを開始する。操作ボタン１ａを押すのをやめると、操作ボタン信号Ｓ２によりシリアルバッファ７にはオン時間カウンタ６でカウントした値が登録され、操作時間としてシリアル信号Ｓ４として送出される。
【００１２】
図２は押しボタン押下時の信号を表したもので、押しボタン操作Ａ１は乗客による操作によりオンオフが発生する。押しボタン動作Ａ２は押しボタンの実際の動作を現しており、押された時は即時に動作するが、離された場合は僅かな遅延時間経ってから復帰する。これにより押しボタン信号Ａ３は多少遅れてオフとなる。
【００１３】
操作ボタンに不復帰不良が発生した場合、押しボタン操作Ｂ１は押しボタン操作Ａ１と同一でも押しボタン動作Ｂ２の復帰が遅れるため、押しボタン信号Ｂ３は押しボタン操作Ｂ１より遅れてオフすることになる。
【００１４】
このように押しボタン信号Ｂ３には顧客押下時間１ｘと遅延時間１ｙが加算された状態で操作時間として計測される。
【００１５】
この顧客押下時間１ｘは個々の乗客の押し方の違いによりバラツキが発生するが、一人一人はほぼ同じ押し方を通常はするので、特定の一人だけを計測した場合の押下時間は図３の分布波形２ｘに示すような正規分布を示す。また別の一人を測定すると分布波形２ｙのようになるので、複数の乗客が操作すると操作時間の分布は波形が合成され分布波形２ｚのように計測される。
【００１６】
ここで操作ボタン１ａにせりが発生し、遅延時間１ｙが長くなった場合を分布波形３ｘとして示すが、復帰の遅れ分だけ操作時間が長く計測されるので、分布波形３ｘの中心は200msであるが、分布波形２ｘの中心は150msでありより時間が長くなる方向に移動している。複数の乗客が操作すると同様に復帰の遅れ分だけ時間が長くなる方向に移動した分布波形３ｚとして計測される。
【００１７】
これにより、分布波形２ｚと分布波形３ｚの操作時間の分布のずれを計測する事により、操作ボタン１ａのせりによる遅延時間１ｙを検出することができる。
【００１８】
一般的にはサンプル標本数が３０より多いと正規分布を仮定できるので、同一の乗客で３０回の測定が必要であり、毎日一回エレベーターを利用する環境では、おおよそ一ヶ月毎に分布波形の比較を行えばバラツキによる誤差を抑えることができるので、利用状況にあわせて調整する。
【００１９】
シリアル信号Ｓ４はシリアル受信部１２で受信し、部位別件数カウンタ部１３で部位別時間別件数表１４に積算する。部位別時間別件数表１４の形式を図４に示すが、横軸が各部位の区分、縦軸が時間軸となっている。
【００２０】
計時部１５ではおおよそ一ヶ月毎に信号が発生し、部位別件数カウンタ部１３が保持する部位別時間別件数表１４で、期間別集計部１６の一回目データ１７ａ及び二回目データ１７ｂを更新する。遅延判定部１８では一回目データ１７ａと二回目データ１７ｂとの比較を行う。
【００２１】
比較する方法としては例えば、図５のように一回目データ１７ａを遅延させた遅延データ８ａ８ｂ８ｃを作成し、これと二回目データ１７ｂとの差分９ａ９ｂ９ｃを取り、一番差分の少ない差分９ｂをデータが一致したと判定し、その遅延を操作ボタン１ａでの復帰の遅延時間１ｙと判断する。
【００２２】
異常監視部１９では、遅延時間１ｙが基準数値２０で指定した値を超えた場合、発報部２１、ネットワーク２２を介し、監視センター部２３に通報する。
【符号の説明】
【００２３】
１ａ  １ｂ  １ｃ  操作ボタン
１ｘ    顧客押下時間
１ｙ    遅延時間
２ｘ  ２ｙ  ２ｚ  分布波形
３ｘ  ３ｙ  ３ｚ  分布波形
４      インバーター
５      発信機
６      オン時間カウンタ
７      シリアルバッファ７
８ａ  ８ｂ  ８ｃ  遅延データ
９ａ  ９ｂ  ９ｃ  差分
１０ａ  １０ｂ  １０ｃ  オン時間計測部
１２    シリアル受信機
１３    時限別回数カウント部
１４    部位別時間別件数表
１５    計時部
１６    期間別集計部
１７ａ  一回目データ
１７ｂ  二回目データ
１８    遅延判定部
１９    異常監視部
２０    基準数値
２１    発報部
２２    ネットワーク
２３    監視センター部
【図１】
2016193790.tif 000003
【図２】
2016193790.tif 000004
【図３】
2016193790.tif 000005
【図４】
2016193790.tif 000006
【図５】
2016193790.tif 000007